(57)【要約】【課題】  ナス環本体と支持具との間に所定以上の引き剥がし力が働いた場合に簡単に外れるようにした取り扱いの容易な構成とした。【解決手段】  一側部開口端にループ開閉用のロック部７を設けたフック部６と、前記フック部６の取付基部に連結した支持具４と、前記支持具４の下面に突設された突起１３を備えたナス環本体２と、前記突起１３をその底面に接触した状態に嵌合する嵌合穴１１を頂部に開口したキーなどの取付具３を備え、前記突起１３と前記取付具３とは、磁石１２により互いに着脱自在に結合されている。【選択図】      図１
0003116255.tif 000002
【実用新案登録請求の範囲】
【請求項１】
一側部開口端にループ開閉用のロック部を設けたフック部と、前記フック部の取付基部に連結した支持具と、前記支持具の下面に突設された突起を備えたナス環本体と、
前記突起をその底面に接触した状態に嵌合する嵌合穴を頂部に開口したキーなどの取付具を備え、
前記突起と前記取付具とは、磁石により互いに着脱自在に結合されていることを特徴とするナス環。
【請求項２】
前記フック部の取付基部と前記支持具とは、回動自在に連結されていることを特徴とする請求項１に記載のナス環。
【請求項３】
前記突起は、磁石又は磁性体により形成され、前記取付具の嵌合穴内には前記突起と磁着結合される磁石又は磁性体が設けられていることを特徴とする請求項１又は２に記載のナス環。
【請求項４】
前記突起は円形とされ、前記取付具の円形とされた前記嵌合穴の開口内に、磁石により互いに着脱自在に嵌合されて結合されていることを特徴とする請求項１乃至３のいずれか１項記載のナス環。
【請求項５】
前記取付具は、略円柱形に形成され、その中間部には、取付用リングが挿入保持される取付孔が左右に貫通して形成されていることを特徴とする請求項１乃至４のいずれか１項記載のナス環。
【請求項６】
請求項１乃至５のいずれか１項記載のナス環を用い、前記取付具には吊り具を介してキーの類が吊り下げ支持されるようにしたことを特徴とするナス環を用いたキーホルダ。
【考案の詳細な説明】
【技術分野】
【０００１】
本考案は、キーホルダなどに用いられる携帯用のナス環に関し、特に必要に応じてナス環本体と支持具との間を着脱自在とした構造及びこれを用いたキーホルダに関するものである。
【背景技術】
【０００２】
キーホルダなどに用いられるナス環として、下記特許文献１，２に示すものがある。
このナス環の構造形式は大きさ、デザイン、用途などに応じて各種あるが、基本的にはフック型をし、その一側部開口端にループ開閉用のロック部を設けたナス環本体と、ナス環本体の基部に回動可能に連結した支持具とからなっている。
【０００３】
ところで、現代では各種のキーが必要であり、そのため１つのキーホルダーに多数のキーを吊下げ保持する場合が多い。
【０００４】
図５は建築・土木作業員を対象とした一例を示すものである。すなわちこの種の作業者は、各種作業用重機のイグニッションキーや、仮設倉庫、建設中の建物の鍵など、複数種のキーを何人かで共通して携帯管理し、個人個人が必要に応じて直ちに目的のキーを取出せるようにしている。
【０００５】
そして、キーホルダーａは、図の一部に拡大して示すように、ナス環を構成するナス環本体ｂと、ナス環本体ｂの基部に相対的に回動可能に取付けられた円筒状の支持具ｃを備え、支持具ｃにはリングｄの取付孔が形成され、このリングｄにはチェーンｅの一端が取付けられ、チェーンｅの他端側に同じくリングｄを連結し、このリングｄに複数のキーｆを取付けている。
【０００６】
この構造によれば、図示のごとく、ナス環本体ｂを作業ズボンｇのバンド通しｈに係止した状態でチェーンｅとともに各種キーｆをズボンｇのポケットｉ内に収納できるため、ナス環本体ｂに直接各種キーｆを吊下げ保持する場合に比べて、外部に露出しないぶんだけ収り良く安定して格納でき、ナス環本体ｂがバンド通しｈからはずれた場合であっても、落したり紛失するおそれが少ない。
【特許文献１】実開平５−８３４３５号公報
【特許文献２】特開２０００−１６６６３３号公報
【考案の開示】
【考案が解決しようとする課題】
【０００７】
しかしながら、以上の構造でキー類をポケットｉに格納した状態でナス環本体ｂと支持具ｃとの間に図の矢印に示すように、何らかの外力Ｆが加わった場合には、バンド通しｈがズボンｇからとれてしまったり、ズボンｇそのものが破れやすかった。さらには、チェーンｅがポケットｉから抜出され、切れるなどしてキーｆが落下する場合もあり、特に高所作業をしている最中にこのような事故が生じた場合には危険であった。
【０００８】
他方、チェーンｅを取出してキーｆの施錠・開錠する際には、チェーンｅの長さが短いと、その都度ナス環本体ｂをバンド通しｈから外さなければならず、その脱着は以外と煩わしいものとなっていた。
【０００９】
そこで、本考案は以上の課題を解決するものであって、その目的とするところは、ナス環本体と支持具との間に所定以上の引き剥がし力が働いた場合に簡単に外れるようにした取り扱いの容易なナス環及びこれを用いたキーホルダを提供するものである。
【課題を解決するための手段】
【００１０】
前記目的を達成するため、本考案のナス環１は、図１及び図２の実施の形態にも示すように、一側部開口端にループ開閉用のロック部７を設けたフック部６と、前記フック部６の取付基部に連結した支持具４と、前記支持具４の下面に突設された突起１３を備えたナス環本体２と、前記突起１３をその底面に接触した状態に嵌合する嵌合穴１１を頂部に開口したキーなどの取付具３を備え、前記突起１３と前記取付具３とは、磁石１２により互いに着脱自在に結合されていることを特徴としている。
【００１１】
前記フック部６の取付基部と前記支持具４とは、回動自在に連結されていても、固定的に連結されていても良い。
【００１２】
前記突起１３は、磁石又は磁性体により形成され、前記取付具３の嵌合穴１１内には前記突起１３と磁着結合される磁石又は磁性体が設けられていることを特徴としている。
【００１３】
前記突起１３は円形とされ、前記取付具３の円形とされた前記嵌合穴１１の開口内に、磁石により互いに着脱自在に嵌合されて結合されていることを特徴としている。
【００１４】
前記取付具３は、略円柱形に形成され、その中間部には、取付用リング１０が挿入保持される取付孔９が左右に貫通して形成されていることを特徴としている。
【００１５】
本考案のキーホルダは、前記のナス環１を用い、その前記取付具３には吊り具１４を介してキー１５の類が吊り下げ支持されていることを特徴とするものである。なお、吊り具１４としては、各種チェーン、吊り紐、ストラップなどに加えこれらに連結される取付用リングが用いられる。
【考案の効果】
【００１６】
以上により本考案によれば、通常状態ではナス環本体２と取付具３間は永久磁石１２、または１３の磁力によって強固に連結され一体性を保つ。また、両者間に強力な引張り力が作用すると簡単に外すことができ、フック部６の取付相手に対する破損、または取付具３に連結した吊下げ部品の破損を防止できる。また、使用者の手によっても両者間の脱着が可能であることから、フック部６そのものの脱着操作によらず、吊下げ部品の脱着が可能であり、ロック部操作の煩わしさから解放されるものとなる。
【００１７】
また、本考案のキーホルダは、キー１５を吊り具とともにズボンのポケット内に格納できるので、取付具３に直接キーを吊下げるよりも安定して安全に格納でき、しかも引張りなどの外力が作用した場合にナス環本体２と取付具３とが分離されるため、ナス環本体２の係止相手であるバンド通しやズボンそのものの破損、吊り具の破損なども未然に防止できる。またキー１５を取出して施・開錠する際にいちいちフック部６を掛け外したり、かけ直す手間が不要なので、脱着操作も極めて簡単となる。
【考案を実施するための最良の形態】
【００１８】
以下、本考案の最良の実施の形態につき、添付図面を参照して説明する。図１（ａ）〜（ｃ）は本考案の第１実施形態によるナス環の分解及び組立状態を示す斜視図である。
図において、本考案に係るナス環１は、金属製のナス環本体２と、同じく金属製の取付具３とから構成されている。
【００１９】
前記ナス環本体２は、扁平円筒型の支持具４と、支持具４の上部に回転可能に連結されたポスト５と、ポスト５の一側部に鈎状をなして一体化されたフック部６と、図示しないバネによりポスト５の頂部に突出状態に配置され、前記フック部６の鈎型先端に当接してフック部６の一側部開口を閉止するロックピンよりなるロック部７と、ポスト５の他側部側にスライド可能に配置された前記ロック部７と一体のロック解除ノブ８とを備えている。
【００２０】
前記取付具３は、前記支持具４と同径の円筒型をなし、円筒方向中央にはこれに直交して貫通する取付孔９が形成され、この取付孔９に取付用リング１０を掛け回している。取付具３の頂部には嵌合穴１１が開口形成され、この嵌合穴１１の内底部には特に（ａ）に示すように、ボタン型の永久磁石１２がはめ込み固定される。
【００２１】
この永久磁石１２の素材としては、例えば希土類磁石のうち、ネオジムなどの超強力磁石が望ましく、接着剤などを介して嵌合穴底部に固定される。
【００２２】
一方、前記ナス環本体２における支持具４の底面には前記嵌合穴１１に嵌合され、前記永久磁石１２に接触する突起１３が突出形成されている。
【００２３】
この突起１３は支持具４が強磁性体から構成されている場合には、支持具４に一体に突出形成されたものであっても良いし、ボタン型磁石を前記永久磁石１２の対接面に対して異極となるように固定したものであっても良い。
【００２４】
したがって、ナス環本体１と取付具２とを（ｂ）に示すよう対向位置させてはめ込むことにより、（ｃ）に示すように永久磁石１２の吸着磁力により、また突起１３が磁石である場合には磁石同士の吸着磁力により、強固に一体化されるものとなる。
【００２５】
この吸着磁力は、前記磁石そのものの材質や、接触面積によるため、定量的に言表わすことは難しいが、通常の外力、あるいは荷重では引抜かれることはなく、手で双方を引張るなどの瞬間的力を加えたときに始めて引抜きされる程度であって、前記フック部６及びこれの係合相手などの物理的係合力または支持強度より劣る程度の係合力を発生すべくその磁力を設定すればよい。
【００２６】
図２（ａ），（ｂ）は以上のナス環１をズボンのポケット格納型キーホルダに適用した場合の実施の形態を示し、前記取付用リング１０には所定長さのチェーン１４の一端が連結され、このチェーン１４の他端側には同じく取付用リング１０が連結され、このリング１０に複数のキー１５が取付けられている。
【００２７】
そして（ａ）に示すように、ナス環本体２のフック部６をズボンのベルト通し１６に係止し、チェーン１４をキー１５などとともにポケット１７内に入れることで、キー１５は安定状態に格納される。なお、図ではポケット１７内にキー１５を懸垂状態に格納しているが、チェーン１４の長さが長い場合にはこの限りではない。
【００２８】
この状態から（ｂ）に示すように、ナス環本体２と、取付具３間に所定の引抜き力Ｆが生ずると、その吸着磁力に抗して両者間は離間し、ナス環本体２側がベルト通し１６に連結されたままの状態で、チェーン１４はポケット１７内に落下し、キー１５をポケット１７内に保全する。
【００２９】
加えて、両者の引抜きは装着者の手によっても行え、キー１５をポケット１７から取出して施錠・開錠する際にこのような切離しをすることで、フック部６の脱着によらず行え、しかも施開錠後は取付具３をナス環本体２にはめ込むだけで良いため、従来に比べて脱着操作が極めて簡単となる。
【００３０】
なお、以上の実施の形態では一例として吊り具としてチェーン１４及び取付用リング１の見合せによったが、吊り紐、ストラップなど各種吊り具を用いることが可能である。
【００３１】
図３（ａ）〜（ｃ）は本考案の第２実施形態による他の形状例を示す。なお以後の説明において、前記第１実施形態と同一箇所は同一符号を用いてその説明を省略する。
【００３２】
まず（ａ），（ｂ）に示すナス環１は単に大きさが異なるのみで、同一デザインであり、各種の大きさがある。またこれらナス環１の用途は、その大きさに応じて、小形携帯機器のストラップ、キーホルダ、ネックレスなど宝飾品の端部留金などに多用されるものであり、取付具３の形状・構造は前記第１実施形態とほぼ同一構造である。
【００３３】
これに対し、ナス環本体２０は、フック部２１と、フック部２１の一側部開口の下部に回動可能に支持され、かつそれ自身または内蔵された図示しないバネのバネ圧により常時開放側に付勢され、回動先端をフック部２１の鈎型先端に形成された段部２１ａに当接することによりループを閉じるロック部２２と、フック部２１の付け根部に回動可能に連結された扁平円筒型の支持具２３とを備え、さらに支持具２３の底面には、前記取付具３の嵌合穴１１に嵌合される突起２４が突出形成されている。
【００３４】
この突起２４は支持具２３が強磁性体から構成されている場合には、支持具２３に一体に突出形成されたものであっても良いし、磁石を前記取付具３の永久磁石１２接触面に対し異極となるように固定したものであっても良い。
【００３５】
次に（ｃ）に示すナス環１は、前記に比べてやや大形であり、キーホルダ、携帯用バッグ類の肩掛け用ベルトなどに好適であるが、各種大きさに応じてその用途を設定することができる。
【００３６】
このナス環１におけるナス環本体３０は、フック部３１と、フック部３１の開口側に枢ピン３２ａを介して回動可能に支持され、かつ内蔵された図示しないバネのバネ圧により常時開放側に付勢され、回動先端をフック部３１の鈎型先端に形成された傾斜段部３１ａに当接することによりループを閉じるロック部３２と、フック部３１の付け根部に回動可能に連結された扁平円筒型の支持具２３とを備え、さらに支持具２３の底面には、前記取付具３の嵌合穴１１に嵌合される突起２４が突出形成されている。
【００３７】
この突起２４は支持具２３が強磁性体から構成されている場合には、支持具２３に一体に突出形成されたものであっても良いし、前記と同様にネオジムなどの強力磁石を前記取付具３永久磁石１２の対向面に対して異極となるように固定したものであっても良い。
【００３８】
次に図４（ａ），（ｂ）はナス環１の第３実施形態による他の形状例を示す分解斜視図である。本実施形態では、ナス環本体２が第１実施形態と同様で、取付具の構造形状が異なる。
【００３９】
まず、（ａ）に示す取付具４０は縦長円筒状をなし、その外周部に溝を多段に形成するとともに、底面が平坦、頂面にナス環本体２の突起１３が嵌合される嵌合穴４１が形成され、この嵌合穴４１の底部に前記突起１３に接する永久磁石４２が埋設されている。なお前記突起１３は、支持具４の底面に一体に突出したものであっても良いし、前記永久磁石４２との対向面が異極となる永久磁石を取付けたものであっても良い。
【００４０】
以上において、前記取付具４０には他との連結部品が設けられていないが、例えばその底面中心に後加工によりネジ嵌合穴を形成した上で、図示のごとくアイボルト４３をねじ込むことで、チェーン、ストラップなどの吊下げ部品に連結することができるほか、後加工により横孔を貫通形成し、これに取付用リング１０を取付けることもできる。
【００４１】
次に、（ｂ）に示す取付具５０は縦長円筒状をなし、その外周部に溝を多段に形成するとともに、底面が平坦、頂面にナス環本体２の突起１３が嵌合される嵌合穴５１が形成され、この嵌合穴５１の底部に前記突起１３に接する永久磁石５２が埋設されている。なお前記突起１３は前記のごとく支持具４の底面に一体に突出したものであっても良いし、前記永久磁石４２との対向面が異極となる永久磁石を取付けたものであっても良い。
【００４２】
以上において、前記取付具５０には他との連結部品が設けられていないが、例えばその底面中心に後加工によりネジ嵌合穴を形成した上で、図示のごとくアイボルト４３をねじ込むことで、チェーン、ストラップなどの吊下げ部品に連結することができるほか、後加工により横孔を貫通形成し、これに取付リング１０を取付けることもできる。
【００４３】
なお、前記第２実施形態で示したナス環本体３０，４０においても前記取付具４０，５０に連結できることは勿論である。また、各実施形態において、ナス環本体及び取付具とも金属製としたが、合成樹脂製とし、永久磁石あるいはこれに吸着される強磁性体を嵌合嵌合穴底部及び突起位置にインサート成形により一体化することも可能である。
【図面の簡単な説明】
【００４４】
【図１】（ａ）〜（ｃ）は本考案の第一実施形態によるナス環の分解及び組立状態の斜視図である。
【図２】（ａ），（ｂ）は同ナス環を用いたキーホルダの側面説明図である。
【図３】（ａ）〜（ｃ）は同ナス環の第２実施形態による他の形状例を示す側面図である。
【図４】（ａ），（ｂ）は同ナス環の第３実施形態による他の形状例を示す分解斜視図である。
【図５】従来のナス環を用いたキーホルダの不具合を説明するための一部拡大部を含む説明図である。
【符号の説明】
【００４５】
１  ナス環
２，２０，３０  ナス環本体
３，４０，５０  取付具
４，２３，３３  支持具
６，２１，３１  フック部
７，２２，３２  ロック部
９  取付孔
１０  取付用リング
１４  チェン
１１，４１，５１  嵌合穴
１２，４２，５２  磁石
１３，２４，３４  突起
１５  キー
【図１】
0003116255.tif 000003
【図２】
0003116255.tif 000004
【図３】
0003116255.tif 000005
【図４】
0003116255.tif 000006
【図５】
0003116255.tif 000007